(57)【特許請求の範囲】
【請求項１】
プロセッサにより実施される方法であって、
１または複数のアプリケーションに適用可能な許容レイテンシの値を決定することと、
ページング・チャネル送信のスケジューリングへの変更をネゴシエートするために、前記許容レイテンシの値を、スケジュールされた他の送信に含めて送ることと、
前記許容レイテンシの値を、パラメータへ変換することと、
前記パラメータをアクセス・ノードに送信することと、を備える方法。
【請求項２】
前記許容レイテンシを、ラジオ・アクセス技術特有パラメータへ変換することをさらに備え、
前記パラメータは、前記ラジオ・アクセス技術特有パラメータを備える、請求項１に記載の方法。
【請求項３】
前記許容レイテンシは、各アプリケーションに関連付けられた１または複数の遅延値の関数である、請求項１に記載の方法。
【請求項４】
前記許容レイテンシは、１または複数のアプリケーションに関連付けられた最小の遅延値である、請求項３に記載の方法。
【請求項５】
前記許容レイテンシはさらに、１または複数のデバイス特有優先度に応じている、請求項３に記載の方法。
【請求項６】
前記デバイス特有優先度は、ユーザ・インタフェースを介して提供されるユーザ優先度を含む、請求項５に記載の方法。
【請求項７】
前記許容レイテンシはさらに、１または複数の診断測定に応じている、請求項３に記載の方法。
【請求項８】
前記診断測定は、モバイル・デバイス内に含まれるバッテリの測定を含む、請求項７に記載の方法。
【請求項９】
前記パラメータは、スロット・サイクル・インデクスを含む、請求項１に記載の方法。
【請求項１０】
前記パラメータの送信を、以前にスケジュールされた送信とバンドルすること、をさらに備える請求項１に記載の方法。
【請求項１１】
前記パラメータの送信は、総括的属性更新プロトコル・メッセージに含まれる、請求項９に記載の方法。
【請求項１２】
前記総括的属性更新プロトコル・メッセージの拒否を、前記アクセス・ノードから受信することと、
前記アクセス・ノードが前記スロット・サイクル・インデクスの変更をサポートしていないことを示すインジケータを格納することと、
をさらに備える請求項１１に記載の方法。
【請求項１３】
前記総括的属性更新プロトコル・メッセージの受諾を、前記アクセス・ノードから受信することと、
前記アクセス・ノードが前記スロット・サイクル・インデクスの変更をサポートしていることを示すインジケータを格納することと、
をさらに備える請求項１１に記載の方法。
【請求項１４】
それぞれのアプリケーションに関連付けられた１または複数の遅延値を受信すること、をさらに備える請求項１に記載の方法。
【請求項１５】
前記許容レイテンシは、サービス品質を示す値に少なくとも部分的に応じて決定される、請求項１に記載の方法。
【請求項１６】
サービス品質を示す値は、１または複数の対応するアプリケーションに関連付けられた１または複数のソケット・ポート番号に基づいて決定される、請求項１に記載の方法。
【請求項１７】
コンピュータによって実施されるシステムであって、
コンピュータ・コードにアクセスし、前記コンピュータ・コードを実行するように構成されたコントローラと、
前記コントローラによって実行された場合、前記コントローラに対して、
１または複数のアプリケーションに適用可能な許容レイテンシの値を決定させ、
前記許容レイテンシの値を、スケジュールされた他の送信に含めて送らせ、
前記許容レイテンシを、ラジオ・アクセス技術特有パラメータへ変換させ、
前記パラメータを、アクセス・ノードへ送信させて、ページング・チャネル送信のスケジューリングへの変更をネゴシエートする
ように構成されたコードを格納した非一時的なコンピュータ読取可能なメモリと、
を備えるシステム。
【請求項１８】
前記非一時的なコンピュータ読取可能なメモリはさらに、前記コントローラによって実行された場合、前記コントローラに対して、前記許容レイテンシを、各アプリケーションに関連付けられた１または複数の遅延値の関数として決定させるように構成されたコードを格納した、請求項１７に記載のシステム。
【請求項１９】
前記非一時的なコンピュータ読取可能なメモリはさらに、前記コントローラによって実行された場合、前記コントローラに対して、前記許容レイテンシを、１または複数のアプリケーションに関連付けられた最小の遅延値として決定させるように構成されたコードを格納した、請求項１８に記載のシステム。
【請求項２０】
前記非一時的なコンピュータ読取可能なメモリは、前記コントローラによって実行された場合、前記コントローラに対して、前記許容レイテンシをさらに、１または複数のデバイス特有優先度に応じて決定させるように構成されたコードを格納した、請求項１８に記載のシステム。
【請求項２１】
前記非一時的なコンピュータ読取可能なメモリは、前記コントローラによって実行された場合、前記コントローラに対して、前記許容レイテンシをさらに、１または複数の診断測定に応じて決定させるように構成されたコードを格納した、請求項１８に記載のシステム。
【請求項２２】
前記非一時的なコンピュータ読取可能なメモリは、前記コントローラによって実行された場合、前記コントローラに対して、前記パラメータの送信を、以前にスケジュールされた送信とバンドルさせるように構成されたコードを格納した、請求項１７に記載のシステム。
【請求項２３】
前記パラメータの送信は、総括的属性更新プロトコル・メッセージに含まれる、請求項１７に記載のシステム。
【請求項２４】
前記パラメータは、スロット・サイクル・インデクスを含み、
前記非一時的なコンピュータ読取可能なメモリは、前記コントローラによって実行された場合、前記コントローラに対して、
前記総括的属性更新プロトコル・メッセージの拒否を、前記アクセス・ノードから受信させ、
前記アクセス・ノードが前記スロット・サイクル・インデクスの変更をサポートしていないことを示すインジケータを格納させるように構成されたコードを格納した、請求項２３に記載のシステム。
【請求項２５】
前記パラメータは、スロット・サイクル・インデクスを含み、
前記非一時的なコンピュータ読取可能なメモリは、前記コントローラによって実行された場合、前記コントローラに対して、
前記総括的属性更新プロトコル・メッセージの受諾を、前記アクセス・ノードから受信させ、
前記アクセス・ノードが前記スロット・サイクル・インデクスの変更をサポートしていることを示すインジケータを格納させるように構成されたコードを格納した、請求項２３に記載のシステム。
【請求項２６】
前記非一時的なコンピュータ読取可能なメモリは、前記コントローラによって実行された場合、前記コントローラに対して、それぞれのアプリケーションに関連付けられた１または複数の遅延値を受信させるように構成されたコードを格納した、請求項２３に記載のシステム。
【請求項２７】
前記非一時的なコンピュータ読取可能なメモリは、前記コントローラによって実行された場合、前記コントローラに対して、前記許容レイテンシを、サービス品質を示す値に少なくとも部分的に応じて決定させるように構成されたコードを格納した、請求項１７に記載のシステム。
【請求項２８】
前記非一時的なコンピュータ読取可能なメモリは、前記コントローラによって実行された場合、前記コントローラに対して、前記サービス品質を示す値を、１または複数の対応するアプリケーションに関連付けられた１または複数のソケット・ポート番号に基づいて決定させるように構成されたコードを格納した、請求項１７に記載のシステム。
【発明の詳細な説明】
【関連出願に対する相互参照】
【０００１】
本願は、２０１０年９月１６日に出願された米国仮特許出願６１／３８３，４６５号の利益を主張する。この開示は、全体が参照によって本明細書に明確に組み込まれている。
【技術分野】
【０００２】
本願は、無線通信に関し、さらに詳しくは、ページング・チャネル・モニタリングの管理を可能にするためのシステム、方法、およびデバイスに関する。
【背景技術】
【０００３】
１ｘＥＶ−ＤＯ（イボリューション、データ・オンリー）は、ブロードバンド高速データ・サービスを無線加入者へ提供するために、１．２５ＭＨｚ  ＩＳ−９５  ラジオ・チャネル構造を修正するＣＤＭＡ規格である。電気通信工業会は、“ＣＤＭＡ２０００、高レート・パケット・データ・エア・インタフェース仕様”を１ｘＥＶ−ＤＯ規格と命名し、それに、仕様番号３ＧＰＰ２  Ｃ．Ｓ００２４−Ａ（ＴＩＡ−８５６）を割り当てた。アクセス・ノードとモバイル・デバイスとの間の専用パスを形成する従来の無線ネットワークとは異なり、ＥＶＤＯシステムは、データを、アクセス・ノードとモバイル・デバイスとの間の１または複数のチャネルで送信されるパケットへ分解するために、インターネット・プロトコル（ＩＰ）を使用する。専用チャネルを有していないにも関わらず、ＥＶＤＯシステムは、最小レベルのシグナリングが、ページング・チャネルの形態で、アクセス端末とモバイル・デバイスとの間で維持されるという点で、「常時オン状態」である。
【０００４】
しかしながら、もしもデータ・パケットが実際に送信されていないのであれば、データ・チャネルにおける帯域幅は消費されない。例えば、インターネット・ウェブサイトがアクセスされ、このウェブサイトがウェブ・ページの送信をまだ開始していない場合、または、どのパーティも音声コールで通話していない場合、または、モバイル・デバイスがアイドル状態にある場合、パケットは送信されない。モバイル・デバイスは、アイドル状態においてでさえ、アクセス・ノードによって送信されたページング・チャネルを定期的にモニタするように構成されている。これは、データ・チャネルにおけるデータが利用可能であるか否かに関するインジケーションを与える。ページング・アラートが、データが利用可能であることを示す場合、スマート・フォンは、この利用可能なデータを受信するために、対応するデータ・チャネルにおける通信を開く。
【０００５】
高レート無線データ・サービスに対する需要の増加は、モバイル・デバイスの電力消費要求を増加させる。特に、いくつかのスマート・モバイル・デバイスまたはスマート・フォンは、複数のソフトウェア・アプリケーションが同時に動作することを可能にするように構成されている。これらアプリケーションのうちのいくつかは、ネットワークと通信する際に、サーバからデータを受信および／またはプルする。これらソフトウェア・アプリケーションが、データ・チャネルへのアクセスをより頻繁に与えられるようになると、電源に対する要求も高くなる。したがって、サービス品質（ＱｏＳ）に悪影響を与えることなく、モバイル・デバイスへの送信、および、モバイル・デバイスからの送信を規制するチャンレンジが存在する。
【発明の概要】
【０００６】
請求項のスコープ内のこれらシステム、方法、および、デバイスのさまざまな実施形態は、おのおのいくつかの態様を有し、これらのどの１つの請求項も、本明細書に記載された所望の特質を単独で担うものではない。特許請求の範囲のスコープを限定することなく、いくつかの顕著な特徴が、本明細書において記載される。本説明を考慮した後、特に、「発明を実施するための形態」と題されたセクションを読んだ後、ページング・チャネル等のモニタリングを管理するために、さまざまな実施形態の特徴がどのようにして使用されるかが理解されるだろう。
【０００７】
本開示の１つの態様は方法を提供する。この方法は、１または複数のアプリケーションに適用可能な許容レイテンシ値を決定することを備える。この方法はさらに、ページング・チャネル送信のスケジューリングへの変更をネゴシエートするために、パラメータをアクセス・ノードに送信することを備える。
【０００８】
本開示の別の態様はシステムを提供する。このシステムは、コンピュータ・コードにアクセスし、コンピュータ・コードを実行するように構成されたコントローラを備える。このシステムはさらに、コードを格納する、非一時的なコンピュータ読取可能なメモリを備える。このコードは、コントローラによって実行された場合、コントローラに対して、１または複数のアプリケーションに適用可能な許容レイテンシ値を決定させるように構成されている。このコードは、実行された場合、さらに、コントローラに対して、許容可能なレイテンシを、ラジオ・アクセス技術特有パラメータへ変換させるように構成されている。このコードは、実行された場合、さらに、コントローラに対して、ページング・チャネル送信のスケジューリングへの変更をネゴシエートするために、このパラメータをアクセス・ノードに送信させるように構成されている。
【０００９】
本開示の別の態様は方法を提供する。この方法は、アクセス端末で動作する１または複数のアプリケーションに適用可能な許容レイテンシ値を決定することを備える。この方法はさらに、決定された許容レイテンシに少なくとも部分的に基づいて、アクセス端末へのページング・チャネル送信のスケジューリングを調節することを備える。
【００１０】
本開示の別の態様は方法を提供する。この方法は、サービスおよびアプリケーション・データのうちの少なくとも１つに対する要求を、クライアント・プラットフォームから受信することを備える。この方法はさらに、クライアント・プラットフォームがモバイル・デバイスで動作していることを判定することを備える。この方法はさらに、クライアント・プラットフォームがモバイル・デバイスで動作しているとの判定に少なくとも部分的に基づいて、アプリケーションの許容レイテンシを調節することを備える。この調節は、新たな許容レイテンシ値を生成する。
【図面の簡単な説明】
【００１１】
【図１】図１は、通信システムの一部の幾つかのサンプル態様の簡略ブロック図である。
【図２】図２は、方法の実施形態のフローチャートである。
【図３】図３は、図１の構成要素のうちのいくつかの間の送信を例示するシグナリング図である。
【図４】図４は、方法の実施形態のフローチャートである。
【図５】図５は、図１の構成要素のうちのいくつかの間の送信を例示するシグナリング図である。
【図６】図６は、方法の実施形態のフローチャートである。
【図７】図７は、方法の実施形態のフローチャートである。
【図８】図８は、方法の実施形態のフローチャートである。
【図９】図９は、方法の実施形態のフローチャートである。
【図１０】図１０は、方法の実施形態のフローチャートである。
【図１１】図１１は、無線通信システムの簡略図である。
【図１２】図１２は、フェムト・ノードを含む無線システムの簡略図である。
【図１３】図１３は、無線ネットワークの有効通信範囲エリアを例示する簡略図である。
【図１４】図１４は、ノード間の通信を容易にするために適用されうるいくつかのサンプル構成要素を図示する。
【００１２】
一般的な実施にしたがって、これら図面に例示されたさまざまな機能は、スケールするように図示されていない場合がある。したがって、これらさまざまな機能の寸法は、明瞭さのために任意に拡大または縮小されうる。さらに、これら図面のうちのいくつかは、所与のシステム、方法、またはデバイスからなる構成要素のすべてを図示している訳ではない。最後に、明細書および図面を通じて、同一符番は、同一機能を示すために使用されうる。
【発明を実施するための形態】
【００１３】
特許請求の範囲のスコープ内の実施形態のさまざまな態様が、以下に記載される。本明細書に記載された態様は、広範なさまざまな形態で具体化され、本明細書に記載されているあらゆる具体的な構成および／または機能は、単に例示的であることが明らかであるべきである。本開示に基づいて、当業者であれば、本明細書に記載された態様は、その他任意の態様と独立して実施され、これら態様のうちの複数は、さまざまな方式で組み合わされうることを認識すべきである。例えば、本明細書に記載された任意の数の態様を用いて装置が実施され、および／または、方法が実現されうる。さらに、本明細書に記載された態様のうちの１または複数に追加された、あるいは、本明細書に記載された態様のうちの１または複数とは異なる他の構成および／または機能を用いて、このような装置が実装され、および／または、このような方法が実現されうる。
【００１４】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用されうる。「ネットワーク」および「システム」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含む。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭＡ等のようなラジオ技術を実施することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された団体からの文書に記載されている。同様に、ｃｄｍａ２０００は、「第３世代パートナシップ計画２」（３ＧＰＰ２）と命名された組織からの文書に記載されている。これらさまざまなラジオ技術および規格は、当該技術分野において知られている。
【００１５】
いくつかの態様では、本明細書における教示は、マクロ・スケールの有効通信範囲（例えば、一般にマクロ・セル・ネットワークと称される３Ｇネットワークのような大規模エリア・セルラ・ネットワーク）と、小規模スケールの有効通信範囲（例えば、住宅ベースまたはビルディング・ベースのネットワーク環境）とを含むネットワークにおいて適用される。アクセス端末（ＡＴ）またはユーザ機器（ＵＥ）がこのようなネットワーク内を移動すると、アクセス端末は、マクロ有効通信範囲を提供するアクセス・ノード（ＡＮ）によって、ある位置においてサービス提供される一方、アクセス端末は、小規模スケールの有効通信範囲を提供するアクセス・ノードによって、その他の位置においてサービス提供されうる。いくつかの態様では、増大する容量成長、ビルディング内有効通信範囲、屋外有効通信範囲、および（例えば、よりロバストなユーザ体験のための）その他のサービスを提供するために、小規模な有効通信範囲ノードが使用されうる。本明細書における説明では、比較的大きなエリアにわたって有効通信範囲を提供するノードは、マクロ・ノードと称されうる。（例えば、住宅のように）比較的小さなエリアにわたって有効通信範囲を提供するノードは、フェムト・ノードと称されうる。マクロ・エリアよりも小さく、フェムト・エリアよりも大きなエリアにわたって有効通信範囲を提供するノードは、（例えば、商業ビルディング内に有効通信範囲を提供する）ピコ・ノードと称されうる。
【００１６】
マクロ・ノード、フェムト・ノードあるいはピコ・ノードに関連付けられたセルは、マクロ・セル、フェムト・セル、あるいはピコ・セルとそれぞれ称される。いくつかの実施では、おのおののセルがさらに、１または複数のセクタに関連付けられうる（例えば、分割されうる）。
【００１７】
マクロ・ノード、フェムト・ノードあるいはピコ・ノードに関連付けられたセルは、マクロ・セル、フェムト・セル、あるいはピコ・セルとそれぞれ称される。いくつかの実施では、おのおののセルがさらに、１または複数のセクタに関連付けられうる。
【００１８】
さらに、特定のフェムト・ノード、あるいはフェムト・ノードのグループは、クローズド加入者グループ（ＣＳＧ）として知られている特定のユーザのグループへのアクセスを可能とする。あるいは、オープン・アクセス・ノードとして知られているその他のフェムト・ノードが、すべてのユーザに対してアクセスを区別無く許可する。さらに、ＣＳＧのメンバおよび非メンバの両方へのアクセスを提供するハイブリッド・フェムト・ノードも存在する。しかしながら、ハイブリッド・フェムト・ノードは、ＣＳＧのメンバと非メンバとを区別し、ＣＳＧメンバがサービスされていない時、非メンバへのシステム・アクセスを終了するか拒否するだろう。さらに、いくつかの構成では、前述した３つの区分はまた、ピコ・ノードおよび／またはマクロ・ノードにも適合する。
【００１９】
さまざまなアプリケーションでは、マクロ・ノード、フェムト・ノード、またはピコ・ノードを称するために、その他の用語が使用されうる。例えば、マクロ・ノードは、アクセス・ノード、基地局、アクセス・ポイント、ｅノードＢ、マクロ・セル等として構成されうるか、または、称されうる。さらに、フェムト・ノードは、ホーム・ノードＢ（ＨＮＢ）、ホームｅノードＢ（ＨｅＮＢ）、アクセス・ポイント基地局、フェムト・セル等として構成されうるか、称されうる。類似した用語は、ピコ・ノードにも適合する。
【００２０】
図１は、通信システム１００の一部のいくつかのサンプル態様の簡略ブロック図である。このシステムは、モバイル・デバイス１０１、基地局１３０、インターネット１４０、アプリケーション・サーバ１５０、および電子メール・サーバ１６０を含んでいる。
【００２１】
基地局１３０（または等価的に、アクセス・ノード）、アプリケーション・サーバ、および電子メール・サーバ１６０は、インターネット１４０を介して接続される。基地局１３０は、アンテナ１３１を含んでいる。当業者であれば、基地局は、その他の機能を含んでいるが、簡略のために、これら実施形態の態様により適切な機能のサブセットが図１に例示されていることを認識するだろう。
【００２２】
モバイル・デバイス１０１は、無線モデム１２０およびアプリケーション・コントローラ１１０を含んでいる。無線モデム１２０は、ラジオ・スタック１２１およびアンテナ１２２を含んでいる。アプリケーション・コントローラは、３つのアプリケーション１１１,１１３，１１５を格納するメモリと、実行する処理回路と、オペレーティング・システム機能１１７と、ラジオ・ドライバ１１９とを含んでいる。当業者であれば、モバイル・デバイスは、その他の機能を含んでいるが、簡略のために、これら実施形態の態様により適切な機能のサブセットが図１に例示されていることを認識するだろう。
【００２３】
高レート無線データ・サービスに対する需要の増加は、モバイル・デバイスの電力消費要求を増加させる。特に、いくつかのスマート・モバイル・デバイスまたはスマート・フォンは、複数のソフトウェア・アプリケーションが同時に動作することを可能にするように構成されている。これらアプリケーションのうちのいくつかは、ネットワークと通信する際に、サーバからデータを受信および／またはプルする。これらソフトウェア・アプリケーションが、データ・チャネルへのアクセスをより頻繁に与えられるようになると、電源に対する要求も高くなる。したがって、サービス品質（ＱｏＳ）に悪影響を与えることなく、モバイル・デバイスへの送信、および、モバイル・デバイスからの送信を規制するチャンレンジが存在する。この目的のために、ページング・チャネル等がモニタされる頻度を管理することによって、ロバストなサービス品質（ＱｏＳ）を維持しながら電力を管理する方法が提供される。ページング・チャネル等におけるアラートの送信頻度を変更する方法もまた提供される。１つの実施形態では、許容レイテンシの値が、ＱｏＳを示す値に基づいて決定される。１つの実施形態では、ＱｏＳを示す値は、モバイル・デバイスで利用可能な１または複数のアプリケーションに関連付けられた１または複数のソケット・ポート番号に基づいて決定される。
【００２４】
図２は、ページング・チャネル等がモニタされる頻度を管理することによって、電力を管理する方法を例示するフローチャートである。ブロック２−１によって示されるように、この方法は、モバイル・デバイスにおいてアクティブな１または複数のアプリケーションから許容レイテンシ値を受信するオペレーティング・システム機能（または等価なソフトウェア・ツール）を含む。それぞれの許容レイテンシは、アプリケーションによって指定され、メモリ素子に格納されたルックアップ・テーブルから読み取られ、各アプリケーションについて、ユーザ設定および／またはアプリケーション要件に基づいて計算されうる。ブロック２−２によって示されるように、この方法は、アクティブなさまざまなアプリケーションの要件を満たす、アグリゲートされた許容可能なレイテンシｔａを決定することを含む。１つの実施形態では、アグリゲートされた許容可能なレイテンシ値ｔａは、アクティブなアプリケーションによって指定された許容レイテンシ、および／または、アクティブなアプリケーションのための許容レイテンシのうちの最小値である。別の実施形態では、アグリゲートされた許容可能なレイテンシｔａは、アクティブなアプリケーションによって指定された許容レイテンシ、および／または、アクティブなアプリケーションのための許容レイテンシのうちの最小値よりも大きく、例えばユーザ優先度および／または設定、モバイル・デバイスにおけるバッテリの状態、および、アクティブなアプリケーションのうちの１または複数のそれぞれの優先度のようなその他のパラメータに部分的に依存する。
【００２５】
ブロック２−３によって示されるように、この方法は、アグリゲートされた許容可能なレイテンシｔａを、無線モデム内のラジオ・スタックに提供することを含む。ブロック２−４によって示されるように、この方法は、アグリゲートされた許容可能なレイテンシｔａを、アクセス・ノードまたは基地局によって処理されうる、技術特有のパラメータへ変換することを含む。例えば、ＥＶＤＯの場合、技術特有のパラメータは、スロット・サイクル・インタバル（ＳＣＩ）値である。ブロック２−５によって示されるように、この方法は、技術特有のパラメータをアクセス・ノードへ送信することを含む。ブロック２−６によって示されるように、この方法は、ページング・チャネル・スケジュールを設定すること、および／または、サービス提供しているアクセス・ノードと、ページング・チャネル・スケジュールをネゴシエートすることを含む。
【００２６】
図３は、図１の構成要素のうちのいくつかの間の送信を例示するシグナリング図である。信号３０１によって示されるように、第１のアプリケーション１１１は、ＯＳ機能１１７へ、許容レイテンシ値ｔＬ１を送る。信号３０２によって示されるように、第２のアプリケーション１１３は、ＯＳ機能１１７へ、許容レイテンシ値ｔＬ２を送る。信号３０３によって示されるように、第３のアプリケーション１１５は、ＯＳ機能１１７へ、許容レイテンシ値ｔＬ３を送る。ブロック３０４によって示されるように、ＯＳ機能は、アグリゲートされた許容可能なレイテンシ値ｔａを決定する。信号３０５によって示されるように、ＯＳ機能１１７は、アグリゲートされた許容可能なレイテンシ値ｔａを、ラジオ・スタック１２１に送る。ブロック３０６によって示されるように、ラジオ・スタック１２１は、アグリゲートされた許容可能なレイテンシ値ｔａを、サービス提供しているアクセス・ノード１３０によって処理されうる、技術特有のパラメータへ変換する。信号ブロック３０７によって示されるように、ラジオ・スタック１２１およびアクセス・ノード１３０は、モバイル・デバイスがページング・アラートを不注意にスキップしないように、ページング・チャネル送信のスケジューリングをネゴシエートする。
【００２７】
図４は、ページング・チャネル等がモニタされる頻度を管理することによって、電力を管理する方法を例示する。ブロック４−１によって示されるように、この方法は、モバイル・デバイスで動作しているアクティブなアプリケーションから、許容可能なレイテンシ値をアグリゲートすることを含む。ブロック４−２によって示されるように、この方法は、モバイル・デバイスに関する診断情報および／またはデバイス特有優先度を検索することを含む。例えば、デバイス特有優先度は、特定の例において要求されるメッセージングの緊急性とアプリケーションの優先度とに依存する、１または複数のアプリケーションによって指定された許容レイテンシを無効にするユーザ設定を含む。別の例において、診断情報は、異なるレベルのアクティビティのために利用可能なバッテリ寿命の各推定値を含む。ブロック４−３によって示されるように、この方法は、診断情報、デバイス特有優先度、および／または、さまざまなアクティブなアプリケーションの要件を満足する、アグリゲートされた許容可能なレイテンシｔａを決定することを含む。ブロック４−４によって示されるように、この方法は、アグリゲートされた許容可能なレイテンシｔａを、無線モデム内のラジオ・スタックに提供することを含む。ラジオ・スタックは、前述したように動作する。
【００２８】
図５は、図１の構成要素のうちのいくつかの間の送信を例示するシグナリング図である。信号５０１によって示されるように、第１のアプリケーション１１１は、ＯＳ機能１１７へ、許容レイテンシ値ｔＬ１を送る。信号５０２によって示されるように、第２のアプリケーション１１３は、ＯＳ機能１１７へ、許容レイテンシ値ｔＬ２を送る。信号５０３によって示されるように、第３のアプリケーション１１５は、ＯＳ機能１１７へ、許容レイテンシ値ｔＬ３を送る。ブロック５０４によって示されるように、ＯＳ機能１１７は、デバイス特有優先度および／または診断情報を検索する。ブロック５０５によって示されるように、ＯＳ機能は、診断情報、デバイス特有優先度、および／または、さまざまなアクティブなアプリケーションの要件を満足する、アグリゲートされた許容可能なレイテンシ値ｔａを決定する。ブロック５０６によって示されるように、ラジオ・スタック１２１は、アクセス・ノードへの次にスケジュールされた送信を待つ。すなわち、アグリゲートされた許容可能なレイテンシ値ｔａは、アクセス・ノード１３０へ直ちには送信されない。そうではなく、モバイル・デバイスは、送信合計数を低減するために、スケジュールされた他の送信まで待ち、アグリゲートされた許容可能なレイテンシ値ｔａを、このスケジュールされた送信に含める。信号５０７によって示されるように、ＯＳ機能１１７は、アグリゲートされた許容可能なレイテンシ値ｔａを、ラジオ・スタック１２１に送る。ブロック５０８によって示されるように、ラジオ・スタック１２１は、アグリゲートされた許容可能なレイテンシ値ｔａを、サービス提供しているアクセス・ノード１３０によって処理されうる、技術特有のパラメータに変換する。信号ブロック５０９によって示されるように、ラジオ・スタック１２１およびアクセス・ノード１３０は、モバイル・デバイスがページング・アラートを不注意にスキップしないように、ページング・チャネル送信のスケジューリングをネゴシエートする。
【００２９】
図６は、ページング・チャネル等がモニタされる頻度を管理することによって電力を管理する方法を例示するフローチャートである。ブロック６−１によって示されるように、この方法は、モバイル・デバイスが、アクセス・ノードと高データ・レート・セッションを確立することを含む。ブロック６−２によって示されるように、この方法は、オペレーティング・システム機能（または、等価なソフトウェア・ツール）が、モバイル・デバイスでアクティブな１または複数のアプリケーションから、許容レイテンシ値を受信することを含む。各許容レイテンシは、アプリケーションによって提供され、メモリ素子に格納されたルックアップ・テーブルから読み取られ、または、ユーザ設定および／またはアプリケーション要件に基づいて、各アプリケーションについて計算されうる。ブロック６−３によって示されるように、この方法は、診断測定、デバイス特有優先度、および／または、さまざまなアクティブなアプリケーションの要件を満足する、アグリゲートされた許容可能なレイテンシｔａを決定することを含む。
【００３０】
ブロック６−４によって示されるように、この方法は、決定されたアグリゲートされた許容可能なレイテンシｔａが変更されたか否かを判定することを含む。アグリゲートされた許容可能なレイテンシｔａが変更されている場合（６−４からのＹｅｓパス）、ブロック６−５によって示されるように、この方法は、アグリゲートされた許容可能なレイテンシｔａを、無線モデムにおけるラジオ・スタックへ提供することを含む。ラジオ・スタックは、レイテンシｔａを、技術特有のパラメータへ変換し、それをアクセス・ノードまたは基地局へレポートする。ブロック６−６によって示されるように、この方法は、ブロック６−７によって示される方法の部分に進む前に、ページング・チャネル・スケジュールを設定すること、および／または、サービス提供しているアクセス・ノードと、ページング・チャネル・スケジュールをネゴシエートすることを含む。一方、アグリゲートされた許容可能なレイテンシｔａが変更されていない場合（６−４からのＹｅｓパス）、この方法は、ブロック６−７によって示される方法の部分に進む。
【００３１】
ブロック６−７によって示されるように、この方法は、アプリケーションがクローズする（すなわち、シャット・ダウンする）、またはオープンする（すなわち、スタートする）ことを待つことを含む。アプリケーションがオープンした場合（６−７からのオープン・パス）、この方法は、ブロック６−２によって示される方法の部分に移行する。アプリケーションがクローズした場合（６−７からのクローズ・パス）、この方法は、ブロック６−８によって示される方法の部分に移行する。ブロック６−８によって示されるように、この方法は、少なくとも１つのアプリケーションがアクティブなままであるかを判定することを含む。少なくとも１つのアプリケーションがアクティブである場合（６−８からのＹｅｓパス）、この方法は、ブロック６−３によって示される方法の部分に進む。これ以上のアプリケーションがアクティブではない場合（６−８からのＹｅｓパス）、ブロック６−９によって示されるように、この方法は、ＰＰＰセッションを終了させることを含む。ブロック６−１０によって示されるように、この方法は、送信されるメッセージの総数を低減するために、接続クローズ・メッセージを用いてＳＣＩ方法をバンドルすることを含む。ブロック６−１１によって示されるように、この方法は、休止ステージに入ることを含む。
【００３２】
図７は、ページング・チャネル等がモニタされる頻度を管理することによって、電力を管理する方法を例示するフローチャートである。ブロック７−１によって示されるように、この方法は、モバイル・デバイスが、アクセス・ノードとの高データ・レート・セッションを確立することを含む。ブロック７−２によって示されるように、この方法は、モバイル・デバイスが、１または複数の設定可能な属性を含む総括的属性更新プロトコル（ＧＡＵＰ）メッセージをアクセス・ノードへ送信することを含む。７−３によって示されるように、この方法は、ＧＡＵＰメッセージ送信に応じて、アクセス・ノードからメッセージを受信することを含む。ブロック７−４によって示されるように、この方法は、ＧＡＵＰメッセージがアクセス・ノードによって拒否されたか否かを判定することを含む。ＧＡＵＰメッセージが、アクセス・ノードによって拒否された場合（７−４からのＮｏパス）、この方法は、ブロック７−５によって示されるように、ＧＡＵＰメッセージを拒否したこの特定のアクセス・ノードを記録することを含む。ＧＡＵＰメッセージがアクセス・ノードによって受諾された場合（７−４からのＹｅｓパス）、この方法は、ブロック７−６によって示されるように、ＧＡＵＰメッセージを受諾した特定のアクセス・ノードを記録することを含む。
【００３３】
図８は、ページング・チャネル等がモニタされる頻度を管理することによって、電力を管理する方法を例示するフローチャートである。ブロック８−１によって示されるように、この方法は、モバイル・デバイスが、新たなアクセス・ノードにアクセスすることを含む。ブロック８−２によって示されるように、この方法は、アクセス・ノードが、モバイル・デバイスに格納されたデータベース内にあるか、または、モバイル・デバイスにアクセス可能であるかを判定することを含む。アクセス・ノードがデータベース内にない場合（８−２からのＮｏパス）、この方法は、ブロック８−９によって示されるように、ＧＡＵＰメッセージがアクセス・ノードによってサポートされていると仮定することを含む。８−１０によって示されるように、この方法は、アクセス・ノードのスロット・サイクル・インデクスを修正（例えば、ＳＣＩ変更）するために、アクセス・ノードへのＧＡＵＰメッセージの送信を試みることを含む。ブロック８−１１によって示されるように、この方法は、ＧＡＵＰメッセージがアクセス・ノードによって拒否されたか否かを判定することを含む。ＧＡＵＰメッセージが拒否された場合（８−１１からのＹｅｓパス）、ブロック８−１２によって示されるように、この方法は、アクセス・ノード識別子と、特に、ＳＣＩ変更非サポート・ステータスのようなＧＡＵＰ非サポート・ステータスとをモバイル・デバイス内のメモリに格納することと、ブロック８−１５によって示されるように、この方法の一部を続けることとを含む。ＧＡＵＰメッセージが拒否されなかった場合（８−１１からのＮｏパス）、ブロック８−１３によって示されるように、この方法は、アクセス・ノードと、ページング・チャネル・メッセージングをネゴシエートすることを含む。ブロック８−１４によって示されるように、この方法は、アクセス・ノード識別子と、特に、ＳＣＩ変更サポート・ステータスのようなＧＡＵＰサポート・ステータスとを、モバイル・デバイス内のメモリに格納することを含む。
【００３４】
一方、８−２に再び示すように、アクセス・ノードがデータベースにある場合（８−２からのＹｅｓパス）、ブロック８−３によって示されるように、この方法は、アクセス・ノードが、データベースを参照することによって、ＧＡＵＰをサポートしているか否かを判定することを含む。アクセス・ノードが、ＧＡＵＰメッセージングをサポートしていない場合（８−３からのＮｏパス）、ブロック８−１５によって示されるように、この方法は、所望されるＳＣＩをメモリに格納することを含む。ブロック８−１６によって示されるように、この方法は、ブロック８−１によって示される方法の一部に進む前に、別のアクセス・ノードへハンドオフすることを待つことを含む。一方、アクセス・ノードがＧＡＵＰメッセージングをサポートしている場合（８−３からのＹｅｓパス）、ブロック８−４によって示されるように、この方法は、アクセス・ノードのためにデフォルトの、または、既に存在するＳＣＩを設定することを含む。ブロック８−５によって示されるように、この方法は、ＯＳ機能から時間値を受信することに応じて、新たなＳＣＩが、ラジオ・スタックによって決定されることを待つことを含む。ブロック８−６によって示されるように、新たなＳＣＩの効果が、許容レイテンシを増加させることである場合（８−５からの“ＬｔｏＨ”パス）、この方法は、アクセス・ノードのためのＳＣＩを、遅延後に、または、アクセス・ノードへの次にスケジュールされた通信とともに、設定することを含む。ブロック８−７によって示されるように、新たなＳＣＩの効果が、許容レイテンシを減少させることである場合（８−５からの“ＨｔｏＬ”パス）、この方法は、アクセス・ノードのためのＳＣＩを直ちに設定することを含む。
【００３５】
図９は、ページング・チャネル等においてページング・インジケータがアクセス・ポイントによって送信される頻度を管理することによって電力を管理する方法を例示するフローチャートである。ブロック９−１によって示されるように、この方法は、１または複数のクライアント・プラットフォーム・アプリケーションが動作している特定のアクセス端末へのデータ、または、この特定のアクセス端末からのデータを、検査することを含む。ブロック９−２によって示されるように、この方法は、この特定のアクセス端末に関連付けられたアプリケーションのための、アグリゲートされた許容可能なレイテンシを決定することを含む。ブロック９−３によって示されるように、この方法は、この特定のアクセス端末のために決定された許容可能なレイテンシに少なくとも部分的に基づいて、ページング・チャネル・インジケータの送信の頻度を調節することを含む。
【００３６】
図１０は、アプリケーション・サーバから、モバイル・デバイスで動作しているクライアント・プラットフォームへと、データが送信される頻度を管理することによって、電力を管理する方法を例示するフローチャートである。ブロック１０−１によって示されるように、この方法は、クライアント・プラットフォームが、モバイル・デバイスで動作していることをアプリケーション・サーバが判定することを含む。ブロック１０−２によって示されるように、この方法は、アプリケーション・サーバが、モバイル・コンテンツをクライアント・プラットフォームへ配信するように切り換わることを含む。いくつかの実施では、モバイル・コンテンツをクライアント・プラットフォームへ配信するように切り換わることは、モバイル・ユーザのためのデータ量を低減することを含む。ブロック１０−３によって示されるように、この方法は、クライアント・プラットフォームがモバイル・デバイス上にあると判定することに応じて、データ送信のスケジューリングを調節することを含む。いくつかの実施では、アクセス端末へのアプリケーション・データ送信のスケジューリングを調節することは、より小さな割当によって送信されるべきであったバルク送信のためのデータをアグリゲートすることによって、送信間の時間を増加させることを備える。
【００３７】
図１１は、多くのユーザをサポートするように構成され、本明細書に記載された教示が実施される無線通信システム１１００の簡略図である。このシステム１１００は、例えばマクロ・セル１１０２Ａ−１００２Ｇのような複数のセル１１０２のための通信を提供する。ここで、各セルは、対応するアクセス・ポイント１１０４（例えば、アクセス・ポイント１１０４Ａ−１１０４Ｇ）によってサービス提供される。アクセス端末１１０６（例えば、アクセス端末１１０６Ａ−１１０６Ｌ）は、経時的に、システム中のさまざまな位置に分布しうる。アクセス端末１１０６はおのおのの、例えば、アクセス端末１１０６がアクティブであるか、および、ソフト・ハンドオフにあるかに依存して、所与の時間において、順方向リンク（ＦＬ）および／または逆方向リンク（ＲＬ）で、１または複数のアクセス・ポイント１１０４と通信しうる。無線通信システム１１００は、大規模な地理的領域にわたってサービスを提供することができる。例えば、マクロ・セル１１０２Ａ−１１０２Ｇは、人口が密集した都会近傍の数ブロック、または、過疎環境における数マイルをカバーしうる。
【００３８】
図１２は、ネットワーク環境において、１または複数のフェムト・ノードが展開されている通信システム１２００の例の簡略図である。具体的には、システム１２００は、（例えば、１または複数のユーザの住宅１２３０におけるような）比較的小規模なネットワーク環境に展開された複数のフェムト・ノード１２１０（例えば、フェムト・ノード１２１０Ａ、１２１０Ｂ）を含む。おのおののフェムト・ノード１２１０は、ＤＳＬルータ、ケーブル・モデム、無線リンク、あるいは（図示しない）その他の接続手段を介して、広域ネットワーク１２４０（例えば、インターネット）およびモバイル・オペレータ・コア・ネットワーク１２５０へ接続されうる。以下に説明するように、各フェムト・ノード１２１０は、（例えば、アクセス端末１２２０Ａのような）関連付けられたアクセス端末１２２０と、オプションとして、（例えば、アクセス端末１２２０Ｂのような）外部アクセス端末１２２０にサービス提供するように構成されうる。言い換えると、フェムト・ノード１２１０へのアクセスが制限され、これによって、所与のアクセス端末１２２０が、指定された（例えば、住宅）フェムト・ノード（単数または複数）１０１０のセットによってサービス提供されるが、指定されていない何れのフェムト・ノード１２１０（例えば、近隣のフェムト・ノード１２１０）によってもサービス提供されない。
【００３９】
図１３は、おのおのがいくつかのマクロ有効通信範囲エリア１３０４を含むいくつかのトラッキング・エリア１３０２（または、ルーティング・エリアまたは位置エリア）が定義されている有効通信範囲マップ１３００の例を例示する簡略図である。ここでは、トラッキング・エリア１３０２Ａ，１３０２Ｂ，１３０２Ｃに関連付けられた有効通信範囲のエリアが、太線で示され、マクロ有効通信範囲エリア１３０４が、六角形によって示されている。トラッキング・エリア１３０２は、フェムト有効通信範囲エリア１３０６をも含んでいる。この例において、フェムト有効通信範囲領域１３０６（例えば、フェムト有効通信範囲領域１３０６Ｃ）のおのおのは、マクロ有効通信範囲領域１３０４（例えば、マクロ有効通信範囲領域１３０４Ｂ）内に図示される。しかしながら、フェムト有効通信範囲領域１３０６は、マクロ有効通信範囲領域１３０４内に全体が位置していなくても良いことが認識されるべきである。実際、所与のトラッキング・エリア１３０２またはマクロ有効通信範囲エリア１３０４を用いて、極めて多くのフェムト有効通信範囲エリア１３０６が規定される。さらに、１または複数のピコ有効通信範囲エリア（図示せず）が、所与のトラッキング・エリア１３０２あるいはマクロ有効通信範囲エリア１３０４内に規定されうる。
【００４０】
図１２に再び示すように、フェムト・ノード１２１０の所有者は、モバイル・オペレータ・コア・ネットワーク１２５０によって提供される例えば３Ｇモバイル・サービスのようなモバイル・サービスに加入しうる。さらに、アクセス端末１２２０は、マクロ環境と、（例えば、住宅のような）小規模なネットワーク環境との両方において、動作可能でありうる。言い換えれば、アクセス端末１２２０は、アクセス端末１２２０の現在位置に依存して、モバイル・オペレータ・コア・ネットワーク１２５０に関連付けられたマクロ・セル・モバイル・アクセス・ポイント１２６０によって、あるいは、（例えば、対応するユーザ住宅１２３０内に存在するフェムト・ノード１２１０Ａ、１２１０Ｂのような）フェムト・ノード１２１０のセットのうちの何れか１つによってサービス提供されうる。例えば、加入者が、自宅の外にいる場合、標準的なマクロ・アクセス・ポイント（例えば、アクセス・ポイント１２６０）によってサービス提供され、加入者が、自宅にいる場合、フェムト・ノード（例えば、ノード１２１０Ａ）によってサービス提供される。ここでは、フェムト・ノード１２１０は、既存のアクセス端末１２２０との後方互換性を持ちうることが認識されるべきである。
【００４１】
フェムト・ノード１２１０は、単一の周波数で、または、代替例では、複数の周波数で展開されうる。特定の構成に依存して、単一の周波数、または、複数の周波数のうちの１または複数が、（例えば、アクセス・ポイント１２６０のような）マクロ・アクセス・ポイントによって使用される１または複数の周波数とオーバラップしうる。
【００４２】
いくつかの態様では、アクセス端末１２２０は、（例えば、アクセス端末１２２０のホーム・フェムト・ノードのような）好適なフェムト・ノードとの接続が可能である場合には常に接続するように構成されうる。例えば、アクセス端末１２２０がユーザの住宅１２３０内にある場合には常に、アクセス端末１２２０はホーム・フェムト・ノード１２１０とのみ通信することが望まれうる。
【００４３】
いくつかの態様では、アクセス端末１２２０が、マクロ・セルラ・ネットワーク１２５０内で動作するものの、（例えば、好適ローミング・リストで定義されたような）最も好適なネットワークに存在しない場合、アクセス端末１２２０は、良好なシステム再選択（ＢＳＲ）を用いて、（例えば、好適なフェムト・ノード１２１０のような）最も好適なネットワークを探索し続ける。これは、良好なシステムが現在利用可能であるかを判定するために利用可能なシステムの定期的な探索と、その後の、好適なシステムとの関連付けのための努力とを含みうる。アクセス端末１２２０は、獲得エントリを用いて、具体的な帯域およびチャネルを求める探索を制限しうる。例えば、最も好適なシステムの探索は、定期的に反復されうる。アクセス端末１２２０は、好適なフェムト・ノード１２１０を発見すると、有効通信範囲エリア内でキャンプするためのフェムト・ノード１２１０を選択する。
【００４４】
フェムト・ノードは、いくつかの態様において、制限されうる。例えば、所与のフェムト・ノードは、あるアクセス端末に対して一定のサービスしか提供しない。いわゆる制限された（すなわち、クローズされた）関連性を持つ構成では、所与のアクセス端末は、マクロ・セル・モバイル・ネットワーク、および、（例えば、対応するユーザの住宅１２３０内に存在するフェムト・セル１２１０のように）定義されたフェムト・ノードのセットによってのみサービス提供されうる。いくつかの実施では、ノードは、少なくとも１つのノードのために、シグナリング、データ・アクセス、登録、ページング、またはサービスのうちの少なくとも１つを提供しないように制限されうる。
【００４５】
いくつかの態様では、（クローズド加入者グループ・ホーム・ノードＢとも称されうる）制限されたフェムト・ノードは、制限されたアクセス端末のプロビジョンされたセットへサービスを提供するノードである。このセットは、役に立つものとして、一時的または永久に拡張されうる。いくつかの態様では、クローズド加入者グループ（ＣＳＧ）は、アクセス端末の共通アクセス制御リストを共有するアクセス・ポイント（例えば、フェムト・ノード）のセットとして定義されうる。制限されたアクセス・ポイントは、複数のアクセス端末の接続を許可するＣＳＧを含みうる。単一のアクセス端末は、複数の制限されたアクセス・ポイントへ接続する能力を有しうる。領域内のすべてのフェムト・ノード（または制限されたすべてのフェムト・ノード）が動作するチャネルは、フェムト・チャネルと称されうる。
【００４６】
所与のフェムト・ノードと、所与のアクセス端末との間に、さまざまな関係が存在しうる。例えば、オープン・フェムト・ノードは、アクセス端末の観点から、制限された関連付けを持たないフェムト・ノード（例えば、フェムト・ノードは、任意のアクセス端末へのアクセスを可能とする）を称しうる。制限されたフェムト・ノードは、（例えば、関連付けおよび／または登録について制限されたような）ある方式で制限されたフェムト・ノードを称しうる。ホーム・フェムト・ノードは、アクセス端末がアクセスし動作することを許可されたフェムト・ノードを称しうる（例えば、定義された１または複数のアクセス端末のために永久的なアクセスが提供される）。ゲスト・フェムト・ノードは、アクセス端末がアクセスし動作することを一時的に許可されたフェムト・ノードを称しうる。外部フェムト・ノードは、恐らくは緊急事態（例えば、９１１コール）を除いて、アクセス端末がアクセスし動作することを許可されないフェムト・ノードを称しうる。
【００４７】
制限されたフェムト・ノードの観点から、ホーム・アクセス端末は、制限されたフェムト・ノードにアクセスすることを許可されたアクセス端末（例えば、アクセス端末は、フェムト・ノードに対して永久的なアクセスを有する）を称しうる。ゲスト・アクセス端末は、制限された（例えば、期限、使用時間、バイト、接続回数、または、その他いくつかの１または複数の基準に基づいて制限された）フェムト・ノードへの一時的なアクセスを備えたアクセス端末を称しうる。外部アクセス端末は、恐らくは、例えば９１１コールのような緊急事態を除いて、制限されたフェムト・ノードへアクセスする許可を持たないアクセス端末（例えば、制限されたフェムト・ノードに登録する証明書または許可を持たないアクセス端末）を称しうる。
【００４８】
便宜上、本明細書における開示は、フェムト・ノードのコンテキストで、さまざまな機能を説明している。しかしながら、大規模な有効通信範囲エリアのために、ピコ・ノードが、同じまたは同様の機能を提供しうることが認識されるべきである。例えば、ピコ・ノードが制限され、所与のアクセス端末のためにホーム・ピコ・ノードが定義される等である。
【００４９】
本明細書における教示は、少なくとも１つの他のノードと通信するためにさまざまな構成要素を適用するノード（例えば、デバイス）へ組み込まれうる。図１４は、ノード間の通信を容易にするために適用されうるいくつかのサンプル構成要素を図示する。特に、図１４は、ＭＩＭＯシステム１４００の第１の無線デバイス１４１０（例えば、アクセス・ポイント）と第２の無線デバイス１４５０（例えば、アクセス端末）との簡略ブロック図である。第１のデバイス１４１０では、多くのデータ・ストリームのためのトラフィック・データが、データ・ソース１４１２から送信（ＴＸ）データ・プロセッサ１４１４へ提供される。
【００５０】
いくつかの態様では、各データ・ストリームが、それぞれの送信アンテナを介して送信される。ＴＸデータ・プロセッサ１４１４は、トラフィック・データ・ストリームをフォーマットし、このデータ・ストリームのために選択された特定の符号化スキームに基づいて符号化し、インタリーブして、符号化されたデータを提供する。
【００５１】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、またはＭ−ＱＡＭ等）に基づいて変調（例えば、シンボル・マップ）され、変調シンボルが提供される。おのおののデータ・ストリームのデータ・レート、符号化、および変調は、プロセッサ１４３０によって実行される命令群によって決定される。データ・メモリ１４３２は、デバイス１４１０のプロセッサ１４３０またはその他の構成要素によって使用されるプログラム・コード、データ、またはその他の情報を格納しうる。
【００５２】
すべてのデータ・ストリームの変調シンボルは、その後、（例えば、ＯＦＤＭのために）変調シンボルを処理するＴＸ  ＭＩＭＯプロセッサ１４２０に提供される。その後、ＴＸ  ＭＩＭＯプロセッサ１４２０は、ＮＴ個の変調シンボル・ストリームを、ＮＴ個のトランシーバ（ＸＣＶＲ）１４２２Ａ乃至１４２２Ｔへ提供する。いくつかの態様では、ＴＸ  ＭＩＭＯプロセッサ１４２０は、データ・ストリームのシンボルへ、および、このシンボルの送信がなされるアンテナへビーム・フォーミング重みを適用する。
【００５３】
各トランシーバ１４２２は、それぞれのシンボル・ストリームを受信し、処理することによって、１または複数のアナログ信号を提供し、さらに、これらアナログ信号を調整（例えば、増幅、フィルタ、およびアップコンバート）することにより、ＭＩＭＯチャネルによる送信に適切な変調信号が提供される。その後、トランシーバ１４２２Ａ乃至１４２２ＴからのＮＴ個の変調信号が、ＮＴ個のアンテナ１４２４Ａ乃至１４２４Ｔからそれぞれ送信される。
【００５４】
第２のデバイス１４５０では、送信された変調信号が、ＮＲ個のアンテナ１４５２Ａ乃至１４５２Ｒによって受信され、おのおののアンテナ１２５２からの受信信号が、それぞれのトランシーバ（ＸＣＶＲ）１４５４Ａ乃至１４５４Ｒへ提供される。各トランシーバ１４５４は、受信したそれぞれの信号を調整（例えば、フィルタ、増幅、およびダウンコンバート）し、調整された信号をデジタル化してサンプルを取得し、これらサンプルをさらに処理することにより、対応する「受信された」シンボル・ストリームが提供される。
【００５５】
その後、受信（ＲＸ）データ・プロセッサ１４６０は、ＮＲ個のシンボル・ストリームをＮＲ個のトランシーバ１４５４から受信し、受信したこれらシンボル・ストリームを、特定の受信機処理技術に基づいて処理することによって、ＮＴ個の「検出された」シンボル・ストリームが提供される。ＲＸデータ・プロセッサ１４６０は、その後、検出されたおのおののシンボル・ストリームを復調し、デインタリーブし、復号して、そのデータ・ストリームのためのトラフィック・データを復元する。ＲＸデータ・プロセッサ１４６０による処理は、デバイス１４１０においてＴＸデータ・プロセッサ１４１４およびＴＸ  ＭＩＭＯプロセッサ１４２０によって実行されるものに対して相補的である。
【００５６】
プロセッサ１４７０は、（後述するように、）どのプリコーディング行列を使用するのかを定期的に決定する。プロセッサ１４７０は、行列インデクス部およびランク値部を備えた逆方向リンク・メッセージを規定することができる。データ・メモリ１４７２は、第２のデバイス１４５０のプロセッサ１４７０またはその他の構成要素によって使用されるプログラム・コード、データ、およびその他の情報を格納しうる。
【００５７】
逆方向リンク・メッセージは、通信リンクおよび／または受信されたデータ・ストリームに関するさまざまなタイプの情報を備えうる。その後、逆方向リンク・メッセージは、ＴＸデータ・プロセッサ１４３８によって処理され、変調器１４８０によって変調され、トランシーバ１４５４Ａ乃至１４５４Ｒによって調整され、デバイス１４１０へ送り戻される。ＴＸデータ・プロセッサ１４３８はまた、データ・ソース１４３６から、多くのデータ・ストリームのトラフィック・データを受信する。
【００５８】
デバイス１４１０では、第２のデバイス１４５０からの変調信号が、アンテナ１４２４によって受信され、トランシーバ１４２２によって調整され、復調器（ＤＥＭＯＤ）１４４０によって復調され、ＲＸデータ・プロセッサ１４４２によって処理されて、第２のデバイス１４５０によって送信された逆方向リンク・メッセージが抽出される。その後、プロセッサ１４３０が、ビーム・フォーミング重みを決定するためにどのプリコーディング行列を使用するのかを決定し、抽出されたメッセージを処理する。
【００５９】
図１４はまた、本明細書で教示されたようなアクセス制御動作を実行する１または複数の構成要素を含みうる通信構成要素を例示する。例えば、本明細書で教示されたように、他のデバイス（例えば、デバイス１４５０）と信号を送信／受信するために、アクセス制御構成要素１４９０が、デバイス１４１０のプロセッサ１４３０および／またはその他の構成要素と連携しうる。同様に、アクセス制御構成要素１４９２は、プロセッサ１４７０、および／または、デバイス１４５０のその他の構成要素と連携し、（例えば、デバイス１４１０のような）他のデバイスとの間と信号を送信／受信する。おのおののデバイス１４１０，１４５０について、記載された構成要素のうちの２またはそれ以上の機能が、単一の構成要素によって提供されうることが認識されるべきである。例えば、単一の処理構成要素が、アクセス制御構成要素１４９０およびプロセッサ１４３０の機能を提供し、単一の処理構成要素が、アクセス制御構成要素１４９２およびプロセッサ１４７０の機能を提供しうる。
【００６０】
本明細書に記載された教示は、さまざまなアプローチ（例えば、ノード）へ組み込まれうる（例えば、これらアプローチによって実行されるか、これらアプローチ内で実施される）。いくつかの態様では、本明細書における教示したがって実現されるノード（例えば、無線ノード）は、アクセス・ポイントまたはアクセス端末を備えうる。
【００６１】
例えば、アクセス端末は、ユーザ機器、加入者局、加入者ユニット、移動局、モバイル、モバイル・ノード、遠隔局、遠隔端末、ユーザ端末、ユーザ・エージェント、ユーザ・デバイス、または、その他いくつかの用語を備えうるか、これらとして実施されうるか、これらとして知られうる。いくつかの実施において、アクセス端末は、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、あるいは無線モデムに接続されたその他いくつかの適切な処理デバイスを備えうる。したがって、本明細書で教示された１または複数の態様は、電話（例えば、セルラ電話またはスマート・フォン）、コンピュータ（例えば、ラップトップ）、ポータブル通信デバイス、ポータブル・コンピューティング・デバイス（例えば、情報携帯端末）、エンタテイメント・デバイス（例えば、音楽デバイス、ビデオ・デバイス、または衛星ラジオ）、全地球測位システム・デバイス、あるいは無線媒体によって通信するように構成されたその他任意の適切なデバイスに組み入れられうる。
【００６２】
アクセス・ポイントは、ノードＢ、ｅノードＢ、ラジオ・ネットワーク・コントローラ（ＲＮＣ）、基地局（ＢＳ）、ラジオ基地局（ＲＢＳ）、基地局コントローラ（ＢＳＣ）、基地トランシーバ局（ＢＴＳ）、トランシーバ機能（ＴＦ）、トランシーバ、ラジオ・ルータ、基本サービス・セット（ＢＳＳ）、拡張サービス・セット（ＥＳＳ）、その他いくつかの用語として実現されるか、知られているか、備えうる。
【００６３】
いくつかの態様では、ノード（例えば、アクセス・ポイント）は、通信システムのためにアクセス・ノードを備えうる。このようなアクセス・ノードは、例えば、インターネットへの有線または無線による通信リンクによる（例えば、インターネットまたはセルラ・ネットワークのような広域ネットワークのような）ネットワークへの、または、ネットワーへのための接続を提供しうる。したがって、アクセス・ノードは、（例えば、アクセス端末のような）他のノードが、ネットワークまたはその他いくつかの機能へアクセスすることを可能にしうる。さらに、これらノードのうちの１つまたは両方が、ポータブルでありうるか、あるいは、いくつかの場合においては、比較的非ポータブルでありうることが認識されるべきである。
【００６４】
また、無線ノードは、非無線方式で（例えば、有線接続によって）情報を送信および／または受信することができうることが認識されるべきである。したがって、本明細書において説明される受信機および送信機は、非無線媒体を介して通信するのに適切な通信インタフェース構成要素（例えば、電気的または光学的なインタフェース構成要素）を含みうる。
【００６５】
無線ノードは、任意の適切な無線通信技術に基づくか、あるいはサポートする１または複数の無線通信リンクによって通信しうる。例えば、いくつかの態様では、無線ノードは、ネットワークに関連付けられうる。いくつかの態様では、ネットワークは、ローカル・エリア・ネットワークまたは広域ネットワークを備えうる。無線デバイスは、（例えば、ＣＤＭＡ、ＴＤＭＡ、ＯＦＤＭ、ＯＦＤＭＡ、Ｗｉ−Ｆｉ、ＷｉＭＡＸ等のように）本明細書で記載されたさまざまな無線通信技術、プロトコル、または規格のうちの１または複数をサポートまたは使用しうる。同様に、無線ノードは、対応するさまざまな変調スキームまたは多重化スキームのうちの１または複数のサポートまたは使用しうる。無線ノードは、前述した、または、その他の無線通信技術を用いる１または複数の無線通信リンクを確立し、通信するための適切な構成要素（例えば、エア・インタフェース）を含みうる。例えば、無線ノードは、無線媒体による通信を容易にするさまざまな構成要素（例えば、信号生成器および信号プロセッサ）を含みうる送信機構成要素および受信機構成要素に関連付けられた無線トランシーバを備えうる。
【００６６】
本明細書において、例えば、「第１の」、「第２の」等のような要素に対するいずれの参照も、一般に、これら要素の数も順序も限定しないことが理解されるべきである。むしろ、これら指定は、本明細書において、複数の要素または要素の事例を区別する従来の方法として使用されうる。したがって、第１の要素および第２の要素への参照は、２つのみの要素しか適用されていないことも、第１の要素が、ある方式において、第２の要素に先行することも意味していない。また、特に述べられていないのであれば、これら要素のセットは、１または複数の要素を備えうる。
【００６７】
当業者であれば、情報および信号は、さまざまな異なる技術および技法のうちの何れかを用いて表されうることを理解するであろう。例えば、前述された説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００６８】
当業者であればさらに、本明細書で開示された態様に関連して記載されたさまざまな論理ブロック、モジュール、プロセッサ、手段、回路、およびアルゴリズム・ステップのうちの何れも、電子ハードウェア（例えば、デジタル実装、アナログ実装、あるいは、ソース・コーディングまたはその他いくつかの技術を用いて設計されうるこれら２つの組み合わせ）、命令群を組み込んだプログラムまたは設計コードからなるさまざまな形態（本明細書では、便宜上、「ソフトウェア」または「ソフトウェア・モジュール」として称されうる）、またはこれらの組み合わせとして実現されうることを認識するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００６９】
本明細書に開示された態様に関して記載されたさまざまな例示的な論理ブロック、モジュール、回路は、集積回路（ＩＣ）、アクセス端末、またはアクセス・ポイント内に実装されるか、あるいは、これらによって実行されうる。ＩＣは、汎用プロセッサ、デジタル信号プロセッサ（ＤＳＰ）、特定用途向けＩＣ（ＡＳＩＣ）、フィールド・プログラム可能ゲート・アレイ（ＦＰＧＡ）またはその他のプログラム可能な論理デバイス、ディスクリート・ゲートまたはトランジスタ・ロジック、ディスクリート・ハードウェア構成要素、電子構成要素、光学構成要素、機械的構成要素、あるいは、本明細書に記載された機能を実行するように設計されたこれらの任意の組み合わせを備え、ＩＣの内部、ＩＣの外部、またはその両方に存在するコードまたは命令群を実行しうる。汎用プロセッサは、マイクロ・プロセッサでありうるが、代わりに、従来技術によるプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７０】
開示された任意の処理におけるステップの具体的な順序または階層は、サンプル・アプローチの例であることが理解される。設計選択に基づいて、これら処理におけるステップの具体的な順序または階層は、本開示のスコープ内であることを保ちながら、再構成されうることが理解される。同伴する方法請求項は、さまざまなステップの要素を、サンプル順で示しており、示された具体的な順序または階層に限定されないことが意味される。
【００７１】
記載された機能は、ハードウェア、ソフトウェア、ファームウェア、あるいは、これらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。要約すると、コンピュータ読取可能媒体は、任意の適切なコンピュータ・プログラム製品内に実装されうることが認識されるべきである。
【００７２】
上記記載は、当業者をして、特許請求の範囲のスコープ内で、実施形態を製造または利用できるように提供されている。これらの態様へのさまざまな変形は、当業者に容易に明らかであって、本明細書で定義された一般的な原理は、本開示の範囲から逸脱することなく、他の態様に適用されうる。このように、本開示は、本明細書で示された態様に限定されるものではなく、本明細書で開示された原理および新規な特徴と一致した最も広い範囲に相当することが意図されている。
［Ｃ１］
方法であって、
１または複数のアプリケーションに適用可能な許容レイテンシの値を決定することと、
ページング・チャネル送信のスケジューリングへの変更をネゴシエートするために、パラメータをアクセス・ノードに送信することと、
を備える方法。
［Ｃ２］
前記許容レイテンシを、ラジオ・アクセス技術特有パラメータへ変換することをさらに備え、
前記パラメータは、前記ラジオ・アクセス技術特有パラメータを備える、Ｃ１に記載の方法。
［Ｃ３］
前記許容レイテンシは、各アプリケーションに関連付けられた１または複数の遅延値の関数である、Ｃ１に記載の方法。
［Ｃ４］
前記許容レイテンシは、１または複数のアプリケーションに関連付けられた最小の遅延値である、Ｃ３に記載の方法。
［Ｃ５］
前記許容レイテンシはさらに、１または複数のデバイス特有優先度に応じている、Ｃ３に記載の方法。
［Ｃ６］
前記デバイス特有優先度は、ユーザ・インタフェースを介して提供されるユーザ優先度を含む、Ｃ５に記載の方法。
［Ｃ７］
前記許容レイテンシはさらに、１または複数の診断測定に応じている、Ｃ３に記載の方法。
［Ｃ８］
前記診断測定は、モバイル・デバイス内に含まれるバッテリの測定を含む、Ｃ７に記載の方法。
［Ｃ９］
前記パラメータは、スロット・サイクル・インデクスを含む、Ｃ１に記載の方法。
［Ｃ１０］
前記パラメータの送信を、以前にスケジュールされた送信とバンドルすること、をさらに備えるＣ１に記載の方法。
［Ｃ１１］
前記パラメータの送信は、総括的属性更新プロトコル・メッセージに含まれる、Ｃ９に記載の方法。
［Ｃ１２］
前記総括的属性更新プロトコル・メッセージの拒否を、前記アクセス・ノードから受信することと、
前記アクセス・ノードが前記スロット・サイクル・インデクスの変更をサポートしていないことを示すインジケータを格納することと、
をさらに備えるＣ１１に記載の方法。
［Ｃ１３］
前記総括的属性更新プロトコル・メッセージの受諾を、前記アクセス・ノードから受信することと、
前記アクセス・ノードが前記スロット・サイクル・インデクスの変更をサポートしていることを示すインジケータを格納することと、
をさらに備えるＣ１１に記載の方法。
［Ｃ１４］
それぞれのアプリケーションに関連付けられた１または複数の遅延値を受信すること、をさらに備えるＣ１に記載の方法。
［Ｃ１５］
前記許容レイテンシは、サービス品質を示す値に少なくとも部分的に応じて決定される、Ｃ１に記載の方法。
［Ｃ１６］
前記サービス品質を示す値は、１または複数の対応するアプリケーションに関連付けられた１または複数のソケット・ポート番号に基づいて決定される、Ｃ１に記載の方法。
［Ｃ１７］
システムであって、
コンピュータ・コードにアクセスし、前記コンピュータ・コードを実行するように構成されたコントローラと、
前記コントローラによって実行された場合、前記コントローラに対して、
１または複数のアプリケーションに適用可能な許容レイテンシの値を決定させ、
前記許容レイテンシを、ラジオ・アクセス技術特有パラメータへ変換させ、
ページング・チャネル送信のスケジューリングへの変更をネゴシエートするために、前記パラメータを、アクセス・ノードへ送信させる、
ように構成されたコードを格納した非一時的なコンピュータ読取可能なメモリと、を備えるシステム。
［Ｃ１８］
前記非一時的なコンピュータ読取可能なメモリはさらに、前記コントローラによって実行された場合、前記コントローラに対して、前記許容レイテンシを、各アプリケーションに関連付けられた１または複数の遅延値の関数として決定させるように構成されたコードを格納した、Ｃ１７に記載のシステム。
［Ｃ１９］
前記非一時的なコンピュータ読取可能なメモリはさらに、前記コントローラによって実行された場合、前記コントローラに対して、前記許容レイテンシを、１または複数のアプリケーションに関連付けられた最小の遅延値として決定させるように構成されたコードを格納した、Ｃ１８に記載のシステム。
［Ｃ２０］
前記非一時的なコンピュータ読取可能なメモリはさらに、前記コントローラによって実行された場合、前記コントローラに対して、前記許容レイテンシをさらに、１または複数のデバイス特有優先度に応じて決定させるように構成されたコードを格納した、Ｃ１８に記載のシステム。
［Ｃ２１］
前記非一時的なコンピュータ読取可能なメモリはさらに、前記コントローラによって実行された場合、前記コントローラに対して、前記許容レイテンシをさらに、１または複数の診断測定に応じて決定させるように構成されたコードを格納した、Ｃ１８に記載のシステム。
［Ｃ２２］
前記非一時的なコンピュータ読取可能なメモリはさらに、前記コントローラによって実行された場合、前記コントローラに対して、前記パラメータの送信を、以前にスケジュールされた送信とバンドルさせるように構成されたコードを格納した、Ｃ１７に記載のシステム。
［Ｃ２３］
前記パラメータの送信は、総括的属性更新プロトコル・メッセージに含まれる、Ｃ１７に記載のシステム。
［Ｃ２４］
前記パラメータは、スロット・サイクル・インデクスを含み、
前記非一時的なコンピュータ読取可能なメモリはさらに、前記コントローラによって実行された場合、前記コントローラに対して、前記総括的属性更新プロトコル・メッセージの拒否を、前記アクセス・ノードから受信させ、前記アクセス・ノードが前記スロット・サイクル・インデクスの変更をサポートしていないことを示すインジケータを格納させるように構成されたコードを格納した、Ｃ２３に記載のシステム。
［Ｃ２５］
前記パラメータは、スロット・サイクル・インデクスを含み、
前記非一時的なコンピュータ読取可能なメモリはさらに、前記コントローラによって実行された場合、前記コントローラに対して、前記総括的属性更新プロトコル・メッセージの受諾を、前記アクセス・ノードから受信させ、前記アクセス・ノードが前記スロット・サイクル・インデクスの変更をサポートしていることを示すインジケータを格納させるように構成されたコードを格納した、Ｃ２３に記載のシステム。
［Ｃ２６］
前記非一時的なコンピュータ読取可能なメモリはさらに、前記コントローラによって実行された場合、前記コントローラに対して、それぞれのアプリケーションに関連付けられた１または複数の遅延値を受信させるように構成されたコードを格納した、Ｃ２３に記載のシステム。
［Ｃ２７］
前記非一時的なコンピュータ読取可能なメモリはさらに、前記コントローラによって実行された場合、前記コントローラに対して、前記許容レイテンシを、サービス品質を示す値に少なくとも部分的に応じて決定させるように構成されたコードを格納した、Ｃ１７に記載のシステム。
［Ｃ２８］
前記非一時的なコンピュータ読取可能なメモリはさらに、前記コントローラによって実行された場合、前記コントローラに対して、前記サービス品質を示す値を、１または複数の対応するアプリケーションに関連付けられた１または複数のソケット・ポート番号に基づいて決定させるように構成されたコードを格納した、Ｃ１７に記載のシステム。
［Ｃ２９］
方法であって、
アクセス端末で動作する１または複数のアプリケーションに適用可能な許容レイテンシの値を決定することと、
前記決定された許容レイテンシに少なくとも部分的に基づいて、前記アクセス端末へのページング・チャネル送信のスケジューリングを調節することと、
を備える方法。
［Ｃ３０］
前記許容レイテンシを決定することは、前記１または複数のパケット内のデータに関連付けられたアプリケーションの１または複数のタイプと、データの特性とのうちの少なくとも１つを決定するために、前記アクセス端末にアドレスされたパケットを検査することを備える、Ｃ２９に記載の方法。
［Ｃ３１］
前記ページング・チャネル送信のスケジューリングを調節することは、少なくとも１つの決定された、１または複数のパケットに関連付けられたアプリケーションの１または複数のタイプと、データの特性とに基づいて、ページング・チャネル送信間の時間を増加させることを備える、Ｃ２９に記載の方法。
［Ｃ３２］
方法であって、
サービスおよびアプリケーション・データのうちの少なくとも１つに対する要求を、クライアント・プラットフォームから受信することと、
前記クライアント・プラットフォームがモバイル・デバイスで動作していることを判定することと、
前記クライアント・プラットフォームがモバイル・デバイスで動作しているとの判定に少なくとも部分的に基づいて、アプリケーションの許容レイテンシを調節することと、ここで、前記調節することは、新たな許容レイテンシの値を生成する、
を備える方法。
［Ｃ３３］
前記新たな許容レイテンシの値を示すインジケータを、前記モバイル・デバイスで動作しているクライアント・プラットフォームへ送信すること、をさらに備えるＣ３２に記載の方法。
［Ｃ３４］
前記調節された許容レイテンシに少なくとも部分的に基づいて、前記アクセス端末へのアプリケーション・データ送信のスケジューリングを調節すること、をさらに備えるＣ３２に記載の方法。
［Ｃ３５］
前記アクセス端末へのアプリケーション・データ送信のスケジューリングを調節することは、より小さな割当によって送信されるべきであったバルク送信のためのデータをアグリゲートすることによって、送信間の時間を増加させることを備える、Ｃ３４に記載の方法。
【図１】
0005600213.tif 000002
【図２】
0005600213.tif 000003
【図３】
0005600213.tif 000004
【図４】
0005600213.tif 000005
【図５】
0005600213.tif 000006
【図６】
0005600213.tif 000007
【図７】
0005600213.tif 000008
【図８】
0005600213.tif 000009
【図９】
0005600213.tif 000010
【図１０】
0005600213.tif 000011
【図１１】
0005600213.tif 000012
【図１２】
0005600213.tif 000013
【図１３】
0005600213.tif 000014
【図１４】
0005600213.tif 000015